(57)【特許請求の範囲】
【請求項１】
移動無線通信網（ＰＬＭＮ）の第１の加入者局（ＭＳ）と前記移動無線通信網（ＰＬＭＮ）に接続可能な第２の加入者局（ＷＳ）との間でデータ通信を実行する方法（図１、図２）であって、少なくとも前記第１の加入者局（ＭＳ）がオーディオデータ符号化／復号化装置（ＣＯＤＥＣ）を備え、前記第２の加入者局（ＷＳ）がイントラネットに接続し、かつ該イントラネットがインターネットを介して前記移動無線通信網（ＰＬＭＮ）に接続してなる前記方法において、
ａ）呼セットアップメッセージを前記第１または第２の加入者局（ＭＳ）から前記移動無線通信網（ＰＬＭＮ）の変換装置（ＢＳＣ，ＭＳＣ／ＶＬＲ）に送信して、前記第１及び第２の加入者局（ＷＳ，ＭＳ）の間に呼をセットアップする段階（Ｓ１）と、
ｂ）前記呼セットアップ・メッセージに基づいて、前記第２の加入者局（ＷＳ）がオーディオデータ符号化／復号化装置（ＣＯＤＥＣ）を備えた型式のものであるか否かを決定する段階（Ｓ２）と、
ｃ）前記第１及び第２の加入者局（ＷＳ）の間に呼をセットアップする段階（Ｓ３）と、
ｄ）前記第２の加入者局（ＷＳ）もまたオーディオデータ符号化／復号化装置（ＣＯＤＥＣ）を備えている場合、前記交換装置（ＢＳＣ，ＭＳＣ／ＶＬＲ）におけるオーディオデータ符号化／復号化装置（ＤＥＣＯＤ）のスイッチをオフにする段階（Ｓ４，Ｓ５）と、
ｅ）前記それぞれの符号化／復号化装置（ＣＯＤＥＣ）を使用して前記第１及び第２の加入者局（ＭＳ，ＷＳ）でオーディオデータを符号化／復号化すると共に、前記交換装置（ＢＳＣ，ＭＳＣ／ＶＬＲ）にてオーディオデータ符号化／復号化を適用することなく、前記交換装置（ＢＳＣ，ＭＳＣ／ＶＬＲ）を介して前記符号化したオーディオデータを伝達する段階（Ｓ６）と、を具備し、
ｆ）前記決定する段階にて、前記呼セットアップ・メッセージが前記第１の加入者局（ＭＳ）から送信されたとき、前記第２の加入者局（ＷＳ）が前記オーディオデータ符号化／復号化装置（ＣＯＤＥＣ）を有すると共に、ＩＰ−網を支援するインターネットに接続した局（ＷＳ）であるか否かを決定するために、前記交換装置（ＭＳＣ／ＶＬＲ）は前記第２の加入者局（ＷＳ）の呼び出された番号を、前記交換装置に接続すると共に各呼出し番号、関連する各ＩＰ−アドレス及び各ＩＰ−ユーザ名を含む第１のメモリ装置（ＤＢ）の各項目と比較することを特徴とする前記方法。
【請求項２】
移動無線通信網（ＰＬＭＮ）の第１の加入者局（ＭＳ）と前記移動無線通信網（ＰＬＭＮ）に接続可能な第２の加入局（ＷＳ）との間でデータ通信を実行する方法（図１，図２）であって、少なくとも前記第１の加入者局（ＭＳ）がオーディオデータ符号化／復号化装置（ＣＯＤＥＣ）を備え、前記第２の加入者局（ＷＳ）がイントラネットに接続し、かつ該イントラネットがインターネットを介して前記移動無線通信網（ＰＬＭＮ）に接続してなる前記方法において、
ａ）呼セットアップ・メッセージを前記第１または第２の加入者局（ＭＳ）から前記移動無線通信網（ＰＬＭＮ）の交換装置（ＢＳＣ，ＭＳＣ／ＶＬＲ）に送信して、前記第１及び第２の加入者局（ＷＳ，ＭＳ）の間に呼をセットアップする段階（Ｓ１）と、
ｂ）前記呼セットアップ・メッセージに基づいて、前記第２の加入者局（ＷＳ）がオーディオデータ符号化／復号化装置（ＣＯＤＥＣ）を備えた型式のものであるか否かを決定する段階（Ｓ２）と、
ｃ）前記第１及び第２の加入者局（ＷＳ）の間に呼をセットアップする段階（Ｓ３）と、
ｄ）前記第２の加入者局（ＷＳ）もまたオーディオデータ符号化／復号化装置（ＣＯＤＥＣ）を備えている場合、前記交換装置（ＢＳＣ，ＭＳＣ／ＶＬＲ）におけるオーディオデータ符号化／復号化装置（ＤＥＣＯＤ）のスイッチをオフにする段階（Ｓ４，Ｓ５）と、
ｅ）前記それぞれの符号化／復号化装置（ＣＯＤＥＣ）を使用して前記第１及び第２の加入者局（ＭＳ，ＷＳ）でオーディオデータを符号化／復号化すると共に、前記交換装置（ＢＳＣ，ＭＳＣ／ＶＬＲ）にてオーディオデータ符号化／復号化を適用することなく、前記交換装置（ＢＳＣ，ＭＳＣ／ＶＬＲ）を介して前記符号化したオーディオデータを伝送する段階（Ｓ６）と、を具備し、
ｆ）前記呼セットアップ・メッセージがオーディオデータ符号化／復号化装置（ＣＯＤＥＣ）を有する第２の加入者局（ＷＳ）から送信されたとき、前記第１の加入者局（ＭＳ）が切換え可能なオーディオデータ符号化／復号化装置（ＣＯＤＥＣ）を有する前記交換装置（ＢＳＣ，ＭＳＣ／ＶＬＲ）に属しているか否かを決定するために、ゲートウェイ・サーバ（ＩＧ）は前記第１の加入者局（ＭＳ）の呼び出された番号（１２３４５６７）を、前記ゲートウェイ・サーバ（ＩＧ）に接続すると共に、前記交換装置（ＭＳＣ）の直接アクセス機構（ＤＡＵ）の各呼出し番号及び関連する各ＩＰ−アドレスを含む第２のメモリ装置（ＤＢ）の各項目と比較することを特徴とする前記方法。
【請求項３】
請求項２記載の方法（図５，ケースｃ））において、前記ゲートウェイ・サーバ（ＩＧ）は前記直接アクセス機構（ＤＡＵ）の前記ＩＰ−アドレスを前記第２の加入者局（ＷＳ）に戻し、この際、前記第２の加入者局（ＷＳ）は前記ＩＰ−アドレスを介して前記直接アクセス機構（ＤＡＵ）に接続することを特徴とする前記方法。
【請求項４】
請求項１または２記載の方法（図６，ケースｄ））において、前記イントラネットは公衆交換電話網（ＰＳＴＮ）を介して前記移動無線通信網（ＰＬＭＮ）に接続することを特徴とする前記方法。
【請求項５】
請求項１または２記載の方法において、前記移動無線通信網（ＰＬＭＮ）はＧＳＭコンパチブル移動無線網であり、前記オーディオデータはＧＳＭ符号化音声データであることを特徴とする前記方法。
【請求項６】
移動無線通信網（ＰＬＭＮ）の第１の加入者局（ＭＳ）及び前記移動無線通信網（ＰＬＭＮ）に接続可能な第２の加入者局（ＷＳ）の間でデータを伝達する前記移動無線通信網（ＰＬＭＮ）の交換装置（ＢＳＣ，ＭＳＣ／ＶＬＲ）であって、少なくとも前記第１の加入者局（ＭＳ）がオーディオデータ符号化／復号化装置（ＣＯＤＥＣ）を備え、前記第２の加入者（ＷＳ）がイントラネットに接続し、かつ該イントラネットがインターネットを介して前記移動無線通信網（ＰＬＭＮ）に接続してなる前記交換装置において、
ａ）前記第１／第２の加入者局から受信したデジタルオーディオデータを符号化／復号化する第１の状態、及び
前記第１／第２の加入者局から受信したデジタルオーディオデータを音声符号化／復号化を適用することなしに渡す第２の状態を含むオーディオデータ符号化／復号化装置（ＣＯＤＥＣ）と、
ｂ）前記第２の加入者局（ＷＳ）が、呼セットアップ段階において前記第１または第２の加入者局（ＭＳ）から送信されてきた呼セットアップ・メッセージに基づいて、オーディオデータ符号化／復号化装置（ＣＯＤＥＣ）を備えた型式のものであるか否かを決定する加入者局型式決定手段（ＳＳＴＤＭ）と、
ｃ）前記加入者局型式決定手段（ＳＳＴＤＭ）が前記第２の加入者局（ＷＳ）は独立したオーディオデータ符号化／復号化装置（ＣＯＤＥＣ）を有する型式のものであると決定するとき、前記交換装置の前記オーディオデータ符号化／復号化装置（ＣＯＤＥＣ）を前記第２の状態に切り換える（Ｓ４，Ｓ５）制御手段（ＣＮＴＲＬ）と、を具備し、
ｄ）呼セットアップ・メッセージが前記第１の加入者局（ＭＳ）から送信されるとき、前記第２の加入者局（ＷＳ）が前記オーディオデータ符号化／復号化装置（ＣＯＤＥＣ）を有すると共に、ＩＰ−網を支援するイントラネットに接続している局（ＷＳ）であるか否かを決定するために、前記交換装置（ＭＳＣ／ＶＬＲ）が前記第２の加入者局（ＷＳ）の呼び出された番号を、前記交換装置に接続すると共に、各呼出し番号、関連する各ＩＰ−アドレス及び各ＩＰ−ユーザ名を含む第１のメモリ装置（ＤＢ）の各項目と比較できるようになっていることを特徴とする前記交換装置。
【請求項７】
移動無線通信網（ＰＬＭＮ）の第１の加入者局（ＭＳ）及び前記移動無線通信網（ＰＬＭＮ）に接続可能な第２の加入者局（ＷＳ）の間でデータを伝達する前記移動無線通信網（ＰＬＭＮ）の交換装置（ＢＳＣ，ＭＳＣ／ＶＬＲ）であって、少なくとも前記第１の加入者局（ＭＳ）がオーディオデータ符号化／復号化装置（ＣＯＤＥＣ）を備え、前記第２の加入者（ＷＳ）がイントラネットに接続し、かつ該イントラネットがインターネットを介して前記移動無線通信網（ＰＬＭＮ）に接続してなる前記交換装置において、
ａ）前記第１／第２の加入者局から受信したデジタルオーディオデータを符号化／復号化する第１の状態、及び
前記第１／第２の加入者局から受信したデジタルオーディオデータをオーディオ符号化／復号化を適用することなしに渡す第２の状態を含むオーディオデータ符号化／復号化装置（ＣＯＤＥＣ）と、
ｂ）前記第２の加入者局（ＷＳ）が、呼セットアップ段階において前記第１または第２の加入者局（ＭＳ）から送信されてきた呼セットアップ・メッセージに基づいて、オーディオデータ符号化／復号化装置（ＣＯＤＥＣ）を備えた型式のものであるか否かを決定する加入者局型式決定手段（ＳＳＴＤＭ）と、
ｃ）前記加入者局型式決定手段（ＳＳＴＤＭ）が前記第２の加入者局（ＷＳ）は独立したオーディオデータ符号化／復号化装置（ＣＯＤＥＣ）を有する型式のものであると決定するとき、前記交換装置の前記オーディオデータ符号化／復号化装置（ＣＯＤＥＣ）を前記第２の状態に切り換える（Ｓ４，Ｓ５）制御手段（ＣＮＴＲＬ）と、を具備し、
ｄ）前記呼セットアップ・メッセージがオーディオデータ符号化／復号化装置（ＣＯＤＥＣ）を有する第２の加入者局（ＷＳ）から送信されるとき、前記第２の加入者局（ＷＳ）は前記イントラネットのゲートウェイ・サーバ（ＩＧ）に対する前記呼セットアップ・メッセージ中に、前記第１の加入者局（ＷＳ）の呼び出された番号と、前記第２の加入者局がオーディオデータ符号化／復号化装置（ＣＯＤＥＣ）を備えることを示すパラメータとを含むことができるようになっており、前記パラメータは、前記呼出しの際に前記パラメータに基づいて前記オーディオデータ符号化／復号化装置（ＣＯＤＥＣ）のスイッチをオフにする前記制御手段に送信されることを特徴とする前記交換装置。
【請求項８】
請求項６または７記載の交換装置において、前記移動無線通信網（ＰＬＭＮ）はＧＳＭコンパチブル移動無線網であり、前記オーディオデータはＧＳＭ符号化音声データであることを特徴とする前記交換装置。
【請求項９】
ａ）オーディオデータ符号化／復号化装置（ＣＯＤＥＣ）を有する少なくとも１つの第１の加入者局（ＷＳ）が接続する移動無線通信網（ＰＬＭＮ）と、
ｂ）少なくとも１つの第２の加入者局（ＷＳ）が接続するイントラネットと、
ｃ）前記移動無線通信網（ＰＬＭＮ）及び前記イントラネットの間に接続したインターネットであって、前記第２の加入者局（ＷＳ）がイントラネットに接続し、前記イントラネットがインターネットを介して前記移動無線通信網（ＰＬＭＮ）に接続してなる前記インターネットと、を具備し、
ｄ）前記移動無線通信網（ＰＬＭＮ）が１つの第１及び１つの第２の加入者局（ＭＳ，ＷＳ）の間でデータを伝達する交換装置（ＢＳＣ，ＭＳＣ，ＶＬＲ）を備え、この際、前記交換装置が、
ｄ１）前記第１／第２の加入者局から送信されてきたデジタルオーディオデータを符号化／復号化する第１の状態、及び
前記第１／第２の加入者局から受信したデジタルオーディオデータをオーディオデータ符号化／復号化を適用することなく渡す第２の状態を含んだオーディオデータ符号化／復号化装置（ＣＯＤＥＣ）と、
ｄ２）前記第２の加入者局（ＷＳ）が呼セットアップ段階にある前記第１または第２の加入者局（ＭＳ）から送信されてきた呼セットアップ・メッセージに基づいてオーディオデータ符号化／復号化装置（ＣＯＤＥＣ）を備えた型式のものであるか否かを決定する加入者局型式決定手段（ＳＳＴＤＭ）と、
ｄ３）前記加入者局型式決定手段（ＳＳＴＤＭ）が前記第２の加入者局（ＷＳ）は独立したオーディオデータ符号化／復号化装置（ＣＯＤＥＣ）を有する型式のものであると決定したとき、前記交換装置の前記オーディオデータ符号化／復号化装置（ＣＯＤＥＣ）を前記第２の状態に切り換える（Ｓ４，Ｓ５）制御手段（ＣＮＴＲＬ）と、を備え、
ｄ４）前記呼セットアップ・メッセージが前記第１の加入者局（ＭＳ）から送信されるとき、前記第２の加入者局（ＷＳ）が前記オーディオデータ符号化／復号化装置（ＣＯＤＥＣ）を有すると共に、ＩＰ−網を支援するイントラネットに接続する局（ＷＳ）であるか否かを決定するために、前記交換装置（ＭＳＣ／ＶＬＲ）が前記第２の加入者局（ＭＳ）の呼び出された番号を、前記交換装置に接続すると共に各呼出し番号、関連する各ＩＰ−アドレス及び各ＩＰ−ユーザ名を含む第１のメモリ装置（ＤＢ）の各項目と比較できるようになっていることを特徴とする電気通信システム（ＰＬＭＮ，ＩＮＴＲＡＮＥＴ；ＩＮＴＥＲＮＥＴ、ＩＰ−ＮＥＴ）。
【請求項１０】
ａ）オーディオデータ符号化／復号化装置（ＣＯＤＥＣ）を有する少なくとも１つの第１の加入者局（ＷＳ）が接続する移動無線通信網（ＰＬＭＮ）と、
ｂ）少なくとも１つの第２の加入者局（ＷＳ）が接続するイントラネットと、
ｃ）前記移動無線通信網（ＰＬＭＮ）及び前記イントラネットの間に接続したインターネットであって、前記第２の加入者局（ＷＳ）がイントラネットに接続し、前記イントラネットがインターネットを介して前記移動無線通信網（ＰＬＭＮ）に接続してなる前記インターネットと、を具備し、
ｄ）前記移動無線通信網（ＰＬＭＮ）が１つの第１及び１つの第２の加入者局（ＭＳ，ＷＳ）の間でデータを伝達する交換装置（ＢＳＣ，ＭＳＣ，ＶＬＲ）を備え、この際、前記交換装置が、
ｄ１）前記第１／第２の加入者局から送信されてきたデジタルオーディオデータを符号化／復号化する第１の状態、及び
前記第１／第２の加入者局から受信したデジタルオーディオデータをオーディオデータ符号化／復号化を適用することなく渡す第２の状態を含んだオーディオデータ符号化／復号化装置（ＣＯＤＥＣ）と、
ｄ２）前記第２の加入者局（ＷＳ）が呼セットアップ段階にある前記第１または第２の加入者局（ＭＳ）から送信されてきた呼セットアップ・メッセージに基づいてオーディオデータ符号化／復号化装置（ＣＯＤＥＣ）を備えた型式のものであるか否かを決定する加入者局型式決定手段（ＳＳＴＤＭ）と、
ｄ３）前記加入者局型式決定する手段（ＳＳＴＤＭ）が前記第２の加入者局（ＷＳ）は独立したオーディオデータ符号化／復号化装置（ＣＯＤＥＣ）を有する型式のものであると決定したとき、前記交換装置の前記オーディオデータ符号化／復号化装置（ＣＯＤＥＣ）を前記第２の状態に切り換える（Ｓ４，Ｓ５）制御手段（ＣＮＴＲＬ）と、を備え、
ｄ４）前記呼セットアップ・メッセージがオーディオデータ符号化／復号化装置（ＣＯＤＥＣ）を有する第２の加入者局（ＷＳ）から送信されるとき、前記第１の加入者局（ＭＳ）が切換え可能なオーディオデータ符号化／復号化装置（ＣＯＤＥＣ）を有する前記交換装置（ＢＳＣ，ＭＳＣ／ＶＬＲ）に属しているか否かを決定するために、ゲートウェイ・サーバ（ＩＧ）は前記加入者局（ＭＳ）の呼び出された番号（１２３４５６７）を、前記ゲートウェイ・サーバ（ＩＧ）に接続すると共に、各呼出し番号及び前記交換装置（ＭＳＣ）の直接アクセス機構（ＤＡＵ）の関連する各ＩＰ−アドレスを含む第２のメモリ装置（ＤＢ）の各項目と比較できるようになっている前記電気通信システム（ＰＬＭＮ，ＩＮＴＲＡＮＥＴ；ＩＮＴＥＲＮＥＴ，ＩＰ−ＮＥＴ）。
【請求項１１】
請求項１０記載の電気通信システム（図５，ケースｃ））において、前記交換装置はインターネットに接続した直接アクセス機構（ＤＡＵ）を備え、この際、前記直接アクセス機構（ＤＡＵ）は前記第２の加入者局（ＷＳ）がオーディオデータ符号化／復号化装置（ＣＯＤＥＣ）を備えることを示す前記インターネットからのゲートウェイ・サーバ（ＩＧ）からのパラメータを受信すると共に、前記制御手段（ＣＮＴＬ）に対して前記オーディオデータ符号化／復号化装置（ＣＯＤＥＣ）をその第２の状態に切り換えるように命令することを特徴とする前記電気通信システム。
【請求項１２】
請求項１０記載の電気通信システム（図６，ケースｄ））において、前記第２の加入者局（ＷＳ）は前記イントラネットのゲートウェイ・サーバ（ＩＧ）に対する前記呼セットアップ・メッセージにて、前記第１の加入者局（ＷＳ／ＭＳ）の呼び出された番号と、前記第２の加入者局がオーディオデータ符号化／復号化装置（ＣＯＤＥＣ）を含むことを示すパラメータとを含み、該パラメータは、該パラメータに基づいて前記呼出しの際に前記オーディオデータ符号化／復号化装置（ＣＯＤＥＣ）のスイッチをオフにする前記制御手段に送信されることを特徴とする前記電気通信システム。
【請求項１３】
請求項９または１０記載の電気通信システムにおいて、前記移動無線通信網（ＰＬＭＮ）はＧＳＭコンパチブル移動無線網であり、前記オーディオデータはＧＳＭ符号化オーディオデータであることを特徴とする前記電気通信システム。
【発明の詳細な説明】
【０００１】
（発明の分野）
本発明は移動無線通信網の第１の加入者局及び前記移動無線通信網に接続可能な第２の加入者局の間でデータ通信を実行する方法、交換装置及び電気通信システムに関する。第２の加入者局はインターネット及び／又は従来の公衆交換電話網を介して移動無線通信網に接続することができる。
【０００２】
特に、本発明は移動無線通信網の移動局及び（例えば、データ網実行インターネット・プロトコル（ＩＰ：ｉｎｔｅｒｎｅｔ  ｐｒｏｔｏｃｏｌ）等の）データ網に接続する第２の加入者局の間でデータ通信を実行することに関する。この種の第２の加入者局は、例えば、インターネット・プロトコルを支援することが可能なワークステーション上の特殊なインターネット電話ハードウェアまたはソフトウェアによって構成されるインターネット電話であり得る。
【０００３】
移動無線通信網は、例えばドイツ国におけるＤ１，Ｄ２またはＥ−プラス網（Ｅ−ｐｌｕｓ）無線通信網等のＧＳＭ−ベース移動無線網（ＧＳＭ：移動通信の大域システム（Ｇｌｏｂａｌ  Ｓｙｓｔｅｍ  ｏｆ  Ｍｏｂｉｌｅ  Ｃｏｍｍｕｎｉｃａｔｉｏｎｓ））であり得る。
【０００４】
（発明の背景）
公衆交換電話網（ＰＳＴＮ：ｐｕｂｌｉｃ  ｓｗｉｔｃｈｅｄ  ｔｅｌｅｐｈｏｎｅ  ｎｅｔｗｏｒｋ）においては、従来、呼に関係する各加入者は加入者が話をしたり音声（ｓｐｅｅｃｈ）を再生する分離電話ハンド・セットを有している。この種の従来の電話ハンド・セットは、例えばドイツ国におけるジャーマン・テレコム（Ｇｅｒｍａｎ  Ｔｅｌｅｃｏｍ）等の従来の公衆交換電話網に接続しているときでも、アナログまたはデジタル伝送技術を使用することができる（在宅している加入者の自由な移動を許す）無線電話であり得る。幾つかの従来の電話はこの幾つかの電話を１つ以上の外部の回線（従来型回線またはＩＳＤＮ回線）に相互接続する構内交換システムに相互接続することがてきる。
【０００５】
更に、殆んどの加入者は今日、移動無線通信網への申し込みと共に移動無線電話を所持している。移動無線電話は、移動無線通信網のエンティティ、例えばその移動交換局と通信するデジタル伝送技術を完全に使用している。移動無線電話間または従来型電話ハンド・セット及び移動無線電話間の各呼は移動無線通信網及び公衆交換電話網を介して経路選択される。
【０００６】
公衆交換電話網から構内交換システム（ＰＢＸ：ｐｒｉｖａｔｅ  ｂｒａｎｃｈ  ｅｘｃｈａｎｇｅ）に電話の呼を正に経路選択する代わりに、先ず、呼をコンピュータ網に経路選択することも可能である。この種のコンピュータ網は、例えば会社イントラネット（ｃｏｍｐａｎｙ  ｉｎｔｒａｎｅｔ）によって構成することができる。ソフトウェアまたはハードウェアを改良して従来型電話として及び／又はインターネット電話として動作するコンピュータ網の通常のワークステーションは、コンピュータ網の一部分であることができる。この種のコンピュータベース電話は一層普及してきており、電話通信における少なくとも一方の当事者が従来型電話ハンド・セットの代わりにコンピュータベース電話を使用することが直ぐに予期される。電話ソフトウェア／ハードウェアを含む相互接続したワークステーションは勿論、コンピュータ網またはイントラネットワーク（ｉｎｔｒａｎｅｔｗｏｒｋ）の中には既に通信用のインターネット・プロトコルを使用しているものもある。このことは、例えばリンデン・デカルモ（Ｌｉｎｄｅｎ  ｄｅｃａｒｍｏ）著「インターネット電話規格（Ｉｎｔｅｒｎｅｔ  Ｔｅｌｅｐｈｏｎｅ  Ｓｔａｎｄａｒｄｓ）」、ピーシー・マガジン（ＰＣ  Ｍａｇａｚｉｎｅ）、１９９７年２月１８日刊、第１８５頁から第１８７頁の総括文献に記載されている。
【０００７】
移動無線通信網の電話ソフトウェア及び／又は移動無線電話を稼動させるワークステーションは、それらのデジタル音声符号化／復号化ユニットに関してかなり進歩したユニットを構成するが、それぞれの電話のマイクロフォンに話をするとき、アナログ音声（ａｎａｌｏｇ  ｖｏｉｃｅ）は、例えば公衆交換電話網を介して呼を依然として経路選択する必要がある場合に、使用可能な伝送チャンネルでの帯域幅に課せられる制限のために依然としてデジタル化して圧縮しなければならない。例えば、デジタル移動無線通信網の移動無線電話から呼が発信されれば、この呼は最終的な被呼者局に達する前に幾つかの音声符号化／復号化段階を受ける。各符号化／復号化はエラーをもたらすので、復号化／符号化プロセスのこの種の幾つかの段階は被呼者局で受信される音声品質（ｓｐｅｅｃｈ  ｑｕａｌｉｔｙ）を劇的に低下させる。
【０００８】
例えば、ＧＳＭ網及びインターネット電話に使用される圧縮プロトコルは同一ではなく、従って幾つかの符号化／復号化（オーディオデータ圧縮／圧縮解除）段階を経る必要性がある。
【０００９】
インターネット電話が将来的に一層普及すれば、呼が発信されるネットワーク・ユニットから呼を電話網からＩＰ−網（ＩＰ：インターネット・プロトコル（Ｉｎｔｅｒｎｅｔ  Ｐｒｏｔｏｃｏｌ））に経路選択することはネットワーク利用の観点から賢明となろう。ＩＰ−網における移動加入者への呼を機能する移動交換局に直接経路選択する可能性によって、ＩＰ−網の所有者と移動オペレータの間の協力の新しい可能性が開かれる。例えば、インターネット電話からの国際通話は公衆交換電話網ＰＳＴＮの代わりにＩＰ−網において経路選択することができる。
【００１０】
（移動局及びワークステーション間の呼のセットアップ）
現在、移動無線通信網の移動無線電話（第１の加入者局）と電話またはインターネット電話ソフトウェアを稼動させるワークステーション（移動無線通信網に接続可能な第２の加入者局）の間に呼をセットアップする幾つかの可能性を想像することがてきる。このことは図７から図１１について以下において説明することとする。この発明は全てのこの種のセットアップ可能性を使用する。
【００１１】
ａ）移動局からインターネット・プロトコル網に接続したワークステーションへの呼
図７ａは移動局がアンテナＡＮＴを介してデジタル的に符号化した音声（ｓｐｅｅｃｈ）を移動無線通信網ＰＬＭＮの交換装置ＢＳＣ／ＭＳＣに（ＴＤＭＡ方式を介して）デジタル式に送信している電話通信システムの例を示している。ここでは、この交換装置は基地局制御装置ＢＳＣ及び移動交換局ＭＳＣを備えている。この基地局制御装置ＢＳＣは本質的に、図７ａでＣＯＤＥＣで示されているオーディオデータ（音声（ｓｐｅｅｃｈ））符号化／復号化装置を備えている。
【００１２】
基本的に、図７ｂを参照して詳細に説明するように、移動局ＭＳから発信された呼はオーディオデータ符号化／復号化装置において圧縮解除され、６４ｋｂｉｔ／ｓの帯域幅のデータ転送速度が公衆交換電話網ＰＳＴＮを介して会社イントラネット（ｃｏｍｐａｎｙ  ｉｎｔｒａｎｅｔ）に送信される。ここでは、呼は構内交換システムＰＢＸを介して、個々のワークステーションＷＳ１，ＷＳ２，…，ＷＳｎが接続しているデータ網（ＩＰ−網）に経路選択し得る。ワークステーションＷＳ１，ＷＳ２，…，ＷＳｎはデジタル電話網を稼動させるので、ＰＳＴＮから到来するデータはデジタル式に復号化され、その後にワークステーションＷＳにおけるオーディオデータ（音声（ｓｐｅｅｃｈ））符号化／復号化装置ＣＯＤＥＣが最終的なデジタル／アナログ変換を実行する。図７ａのＰＢＸはＷＳによって支援されるプロトコルを使用して受信したスピーチを圧縮（即ち、符号化）することができるＣＯＤＥＣを有している。
【００１３】
図７ａにおける呼セットアップは次の通りである。移動局ＭＳはＰＢＸからサービスを受ける第２の加入者局の呼出し番号を含む呼セットアップ・メッセージを送信する。こうして、ＰＢＸは被呼者局である第２の加入者局、即ち、電話ソフトウェアを稼動させるワークステーションが到来する全ての呼をワークステーション上をランするインターネット電話ソフトウェアに向けることを欲する情報を有しなければならない。この場合、ＰＢＸはＰＳＴＮ及びワークステーション上をランするインターネット電話ソフトウェア間のプロトコル変換及び音声符号化を必要とする。例えば、インターネット電話はパケットベース伝送を使用するので、ＰＢＸはまたアナログ−パケット変換を実行しなければならない。一方の側の移動局ＭＳ及び他方の側のワークステーションＷＳはおのおのが非常に進歩したデジタル符号化及び伝送技術を使用しているものの、中間の音声符号化／復号化は依然として基地局制御装置ＢＳＣ及びＰＢＸにおいて実行される。このことは図７ｂにて説明するように、オーディオデータ（音声）品質を低下させると共に伝送プロセスをスローダウンし得る。
【００１４】
図７ｂは図７ａにおける状況に対する圧縮／圧縮解除の際のデータ転送速度を示している。▲１▼において、移動局のアナログ／デジタル変換器はアナログ音声を６４ｋＢｉｔ／ｓ  ＰＣＭ信号に変換する。移動局ＭＳのＣＯＤＥＣはこの信号を１３ｋＢｉｔ／ｓ（全レート符号化（ｆｕｌｌ  ｒａｔｅ  ｃｏｄｉｎｇ）の場合）に圧縮し、圧縮された信号は交換装置に送信される。▲３▼において、基地局制御装置ＢＳＣのＣＯＤＥＣは１３ｋＢｉｔ／ｓ  ＰＣＭデータから６４ｋＢｉｔ／ｓ  ＰＣＭデータへの圧縮解除を実行する。▲４▼において、ゲートウェイは例えば入力する６４ｋＢｉｔ／ｓ  ＰＣＭデータを例えばＧ．７２３を使用して６．３ｋＢｉｔ／ｓ  ＰＣＭデータに圧縮する。最後に▲５▼において、ワークステーションＷＳは６．３ｋＢｉｔ／ｓデータの圧縮解除を実行し、Ｄ／Ａ変換を行い、かつ音を出力する。２つの（損失のある）音声符号化（ｓｐｅｅｃｈ  ｃｏｄｉｎｇ）を使用することで音（ｓｏｕｎｄ）の品質が低下する。この結果、ワークステーションにおける受信した音はＧＳＭ網におけるものとは同一でない。図７ｂはＧＳＭ全レート音声符号化に対する状況を示しているが、その実施はコンピュータ上で全く容易に可能であるので、同一の問題はＧＳＭに対して指定される他の音声デジタル符号器、例えば半レート音声符号化（ＧＳＭ  ０６．２０（ｐｒＥＴＳ  ３００  ５８１−２）、即ち「欧州デジタル・セルラー電気通信システム（Ｅｕｒｏｐｅａｎ  Ｄｉｇｉｔａｌ  Ｃｅｌｌｕｌａｒ  Ｔｅｌｅｃｏｍｍｕｎｉｃａｔｉｏｎ  Ｓｙｓｔｅｍ）（段階２）；半レート音声トランスコーディング（ｈａｌｆ  ｒａｔｅ  ｓｐｅｅｃｈ  ｔｒａｎｓｃｏｄｉｎｇ）」または改良した全レート符号化（ｅｎｈａｎｃｅｄ  ｆｕｌｌ  ｒａｔｅ  ｃｏｄｉｎｇ）（ＧＳＭ  ０６．６０（ｐｒＥＴＳ  ３００  ７６２−１））を使用する音声デジタル符号器において生じることを了知すべきである。
【００１５】
図８は移動局及びワークステーションの間の通信をＰＳＴＮ及びインターネットを通して実行する電気通信システムの別の構成を示している。ＰＳＴＮ及びインターネットはインターネットＰＳＴＮ−ゲートウェイＩＧを通して通信する。ＩＧはＰＳＴＮまたはＰＬＭＮのオペレータによって稼動されるサーバである。ここでは、ワークステーションＷＳはこのインターネット電話装置に対して（即ち、ワークステーション上でランするソフトウェアまたはハードウェアに対して）オペレータが出した番号によって同定される。
【００１６】
こうして、呼をセットアップするとき、移動局はオペレータが出した第２の加入者局の番号を呼び出す。呼がインターネットＰＳＴＮ−ゲートウェイ・サーバＩＧに達するとき、サーバはゲートウェイ及びインターネット電話の間で使用されるべき各プロトコルをセットアップすることとなる。呼出しの際、インターネット電話及びＰＳＴＮから到来する通常の電話の呼の間の各プロトコル変化をもたらす。明らかに、インターネット及び電話ソフトウェアを稼動させるワークステーションはパケット伝送を介して完全にデジタル式に通信することができる。それにも拘わらず、呼がＰＳＴＮに経路選択される前に、オーディオデータ符号化／復号化（圧縮／圧縮解除）が基地局制御装置ＢＳＣ内で行われる。
【００１７】
ｂ）ＰＬＭＮのワークステーション／移動局からＩＰ−網のワークステーションへの呼
図９はインターネット電話プログラムを稼動させるコンピュータＷＳに移動局ＭＳが接続した電気通信システムを示している。呼は移動交換センターＭＳＣから直接アクセス機構ＤＡＵを介してインターネットに経路選択され、またそこからインターネット電話プログラムを稼動させるワークステーションＷＳが接続している会社イントラネットに経路選択される。
【００１８】
ＰＳＴＮは呼のセットアップには含まれていないので、完全な呼は音声呼としてではなくデータ呼として処理される。移動無線通信網は、第２の加入者局のユーザ名及びＩＰ−アドレス（または完全に修飾された領域名）を使用してインターネットを介して呼を第２の加入者局ＷＳに経路選択する。移動無線通信網はこの場合無関係であり、ユーザの観点から、呼はインターネットによってインターネット電話プログラムを稼動させる２つのコンピュータ間の任意の他の呼と全く同様である。
【００１９】
しかしながら、この場合、音声データ（ｓｐｅｅｃｈ  ｄａｔａ）を純粋なデータ呼として転送するとき、９．６ｋＢｉｔ／ｓのデータ転送速度しか使用し得ない。こうして、ＷＳにおける音声品質は音声呼におけるよりも下回る。ＧＳＭ網は近い将来他の解法を提供し得る。このことによって、４倍までのデータ転送速度を有する純粋なデータ呼が可能とされるが、音声呼に対してそれらを使用することは通常の音声呼に比してはるかに高くつくこととなる。
【００２０】
ｃ）ワークステーションから移動局に接続したコンピュータへの呼
図１０はイントラネットに組み込まれたデータ網（ＩＰ−網）が移動無線通信網ＰＬＭＮの移動局ＭＳに接続したコンピュータまたはワークステーションに対して呼をセットアップする電気通信システムを示している。インターネットはパケット向きの伝送を使用するので、ＰＬＭＮはパケット向き伝送を可能にするＧＰＲＳ（汎用パケット無線サービス（Ｇｅｎｅｒａｌ  Ｐａｃｋｅｔ  Ｒａｄｉｏ  Ｓｅｒｖｉｃｅ））機能を用いて拡張されてきた。
【００２１】
この種のＧＰＲＳ−システムは（特に）サーブするＧＰＲＳ支援ノードＳＧＳＮ及びゲートウェイＧＰＲＳ支援ノードＧＧＳＮを備えている。また、この場合、呼は純粋なデータ呼として処理される。
【００２２】
接続を確立すべきとき、呼び出すべきコンピュータ（即ち、第１の加入者局ＷＳ／ＭＳ）のＩＰ−番号は移動無線通信網の或るユニットによって知られている。このユニットはどのサーブするＧＰＲＳ支援ノードにデータを送信すべきかを知っているゲートウェイＧＰＲＳ支援ノードである。従って、ワークステーションＷＳは先ずこのユニットＧＧＳＮへの接続を形成する。このユニットＧＧＳＮはこのとき接続しているコンピュータＷＳに対して移動局ＭＳを介して接続を形成する方法を知っている。
【００２３】
この種の呼のセットアップは原理的には可能であるが、ＧＰＲＳ網はデジタル化した音声（ｓｐｅｅｃｈ）のような連続した長いデータ・ストリームの代わりに短いデータ・バーストを処理するように特に設計されているので、この種の呼のセットアップは極めてコスト的に効果的でもなければ効率的でもない。
【００２４】
ｄ）ＩＰ−網に接続したワークステーションからインターネット／ＰＳＴＮを介した移動局ＭＳへの呼
図１１はワークステーションから発信された呼をインターネット及びインターネットＰＳＴＮ−ゲートウェイ・サーバを介してＰＬＭＮ及び移動局ＭＳに経路選択する電気通信システムを示している。ここでは、ワークステーションＷＳはゲートウェイ・サーバＩＧのＩＰ−アドレスを使用してこのサーバとコンタクトしている。しかる後、ワークステーションＷＳは移動電話ＭＳの呼び出し電話番号をもたらす。次いで、ゲートウェイＩＧはこの番号を使用して通常のＰＳＴＮ−ＭＳ呼出しを行う。呼出しの際、ゲートウェイＩＧはワークステーションＷＳ及びゲートウェイＩＧ間のインターネット電話プロトコルにおいて使用する音声の圧縮解除を行い、他の方向に対してはＰＳＴＮから受信した音声データ用の音声圧縮を行う。
【００２５】
こうして、また図１１において、即ちＢＳＣ及びＩＧにて音声圧縮／圧縮解除（符号化／復号化）が生じる２つのサイトが存在する。これは明らかに音声品質に関する低下効果を有している。
【００２６】
図７から図１１の諸例において、インターネット電話プログラムを稼動させるワークステーションは、任意の他のユーザまたはインターネット電話プログラムを稼動させる任意の他のワークステーションに対してＩＰ−網によってユーザが各呼出しを行うことができるようにするインターネット電話プログラムを使用中のこのＩＰ−網に接続する任意のコンピュータであるこができる。ユーザがインターネットＰＳＤＮ−ゲートウェイにアクセスすれば、このユーザ（彼／彼女）はまたこのゲートウェイを介して任意の他の通常の電話に呼出しを行うことができる。
【００２７】
インターネットＰＳＴＮ−ゲートウェイ・サーバはＩＧインターネット及びＰＳＴＮ間のゲートウェイとして働く。このゲートウェイは通常の電話番号を使用して任意の電話への接続を確立することができる。このゲートウェイはまたそのＩＰ−アドレス及びユーザ名を知ることによってワークステーション上にユーザを接続することができる。このゲートウェイは電話番号に対応するＩＰ−番号についてデータベースを含むことができる。このゲートウェイはまた構内交換システムＰＢＸの一部分であり得る。即ち、構内交換設備の一部分であり得る。このゲートウェイは、サーバＩＧ及びインターネット電話プログラム間の呼セットアップ段階の際に取り決められたプロトコルを使用して、（ＰＳＴＮから受信した）末圧縮の６４ｋｂｉｔ／ｓデジタル音声から圧縮した音声への変換を実行する。他方の方向においては、このゲートウェイはＩＰ−網からの音声を圧縮解除して、これをＰＳＴＮに転送する。
【００２８】
図７から図１１においては、ＰＳＴＮ（公衆交換電話網（Ｐｕｂｌｉｃ  Ｓｗｉｔｃｈｅｄ  Ｔｅｌｅｐｈｏｎｅ  Ｎｅｔｗｏｒｋ））は電話番号に基づいて正確な宛先に呼を経路選択するのに使用されるが、呼セットアップ段階では、経路に沿った交換局の各能力を問い合わせることが可能である（例えば、全ての交換局は或るサービス等に対する支援をもたらす）。図１１のような構成においてさえも、幾つかのアナログ交換局が依然として存在し得るものの、全てのトラフィックはデジタル式に伝達される。
ＤＥ  １  ９５  １６  ０７８  Ａ１は、データ、特に少なくとも２人の加入者間のＧＳＭ−データの転送の際に、送信端末から転送すべきデータが所定のフレーム・フォーマットを有しているか否かを調べることを開示している。所定のフレーム・フォーマットが認められた場合、送信及び受信加入者の符号化速度が同一であり、所定のフレーム・フォーマットが維持されれば、伝送すべきデータは交換装置を介して即応的に交換される。符号化速度が一致しなければ、所定のフレーム・フォーマットが保持され、各符号化速度は異なる符号化速度に移される。
【００２９】
（発明の概要）
以上、図７から図１１を参照して説明したように、種々の経路を介し、例えば直接インターネットを介しまたは間接的にＰＳＴＮを介し次いでインターネットを介して、移動局及び電話ソフトウェアを稼動させるワークステーションの間に呼をセットアップすることができることが予想される。移動局に対して電話ソフトウェアを稼動させるコンピュータを接続することも可能であるし、次いで同様に、インターネット電話ソフトウェアを稼動させるワークステーションに対して呼をセットアップすることも可能である。
【００３０】
しかしながら、幾つかの圧縮／圧縮解除のために、音声品質は移動局及びワークステーションの間の伝送経路上で低下する。
【００３１】
従って、本発明の目的は、特に、第２の加入者局がコンピュータ上をランする電話ソフトウェアを使用する場合に対して、移動無線通信網の第１の加入者局及び移動無線通信網に接続可能な第２の加入者局の間で高い音声品質を維持する方法、交換装置及び電気通信システムを提供することにある。
この目的は請求項１による方法または請求項２による方法によって解決される。更に、この目的は請求項６による交換手段によって解決される。また更に、この目的は請求項７による交換手段によって解決される。この目的はまた請求項９または請求項１０による電気通信システムによって解決される。
【００３２】
（発明の態様）
本発明の一態様は、移動無線通信網（ＰＬＭＮ）の第１の加入者局（ＭＳ）及び前記移動無線通信網（ＰＬＭＮ）に接続可能な第２の加入者局（ＷＳ）の間でデータ通信を実行し、少なくとも前記第１の加入者局（ＭＳ）がオーディオデータ符号化／復号化装置（ＣＯＤＥＣ）を備えてなる方法において、前記第３段階と、を具備したことを特徴とする前記方法に関する。
【００３３】
本発明の別の態様は、移動無線通信網（ＰＬＭＮ）の第１の加入者局（ＭＳ）及び前記移動無線通信網（ＰＬＭＮ）に接続可能な第２の加入者局（ＷＳ）の間でデータを伝達する前記移動無線通信網（ＰＬＭＮ）の交換装置（ＢＳＣ，ＭＳＣ／ＶＬＲ）であって、少なくとも前記第１の加入者局（ＭＳ）がオーディオデータ符号化／復号化装置（ＣＯＤＥＣ）を備えた前記交換装置において、前記第１／第２の加入者局から受信したデジタル音声信号を符号化／復号化する第１の状態及びオーディオ符号化／復号化を適用することなく前記第１／第２の加入者局から受信したデジタルオーディオデータを渡す第２の状態を含むオーディオデータ符号化／復号化装置（ＣＯＤＥＣ）と、呼セットアップ段階にて前記第１または第２の加入者局（ＭＳ）から送信された呼セットアップ・メッセージに基づいて、前記第２の加入者局（ＷＳ）がオーディオデータ符号化／復号化装置（ＣＯＤＥＣ）を備えた型式のものであるか否かを決定する加入者局型式決定手段（ＳＳＴＤＭ）と、前記加入者局型式決定手段（ＳＳＴＤＭ）が前記第２の加入者局（ＷＳ）は独立したオーディオデータ符号化／復号化装置（ＤＥＣＯＤ）を有する型式のものであると決定するとき、前記交換装置の前記オーディオデータ符号化／復号化装置（ＣＯＤＥＣ）を前記第２の状態に切り換える制御手段（ＣＮＴＲＬ）と、を具備したことを特徴とする前記交換装置に関する。
【００３４】
本発明のまた別の態様は、オーディオデータ符号化／復号化装置（ＣＯＤＥＣ）を有する少なくとも１つの第１の加入者局（ＭＳ）が接続している移動無線通信網（ＰＬＭＮ）と、少なくとも１つの第２の加入者局（ＷＳ）が接続しているイントラネットと、インターネット及び／又は前記移動無線通信網（ＰＬＭＮ）及び前記イントラネットの間に接続した公衆交換電話網（ＰＳＴＮ）とを備えた電気通信システム（ＰＬＭＮ，ＰＳＴＮ，ＩＮＴＲＡＮＥＴ；ＩＮＴＥＲＮＥＴ，ＩＰ−ＮＥＴ）において、前記移動無線通信網（ＰＬＭＮ）が１つの第１及び１つの第２の加入者局（ＭＳ，ＷＳ）の間でデータを伝達する交換装置（ＢＳＣ，ＭＳＣ，ＶＬＲ）を備え、該交換装置が、前記第１／第２の加入者局から受信したデジタルオーディオデータを符号化／復号化する第１の状態及びオーディオデータ符号化／復号化を適用することなく前記第１／第２の加入者局から受信したオーディオデータを渡す第２の状態を含むオーディオデータ符号化／復号化手段（ＣＯＤＥＣ）と、呼セットアップ段階にて、前記第１または第２の加入者局（ＭＳ）から送信された呼セットアップ・メッセージに基づいて、前記第２の加入者局（ＷＳ）がオーディオデータ符号化／復号化装置（ＣＯＤＥＣ）を備える型式のものか否かを決定する加入者局型式決定手段（ＳＳＴＤＭ）と、前記加入者局型式決定手段（ＳＳＴＤＭ）が前記第２の加入者局（ＷＳ）は独立したオーディオデータ符号化／復号化装置（ＣＯＤＥＣ）を有する型式のものであると決定するとき、前記交換装置の前記オーディオデータ符号化／復号化装置（ＣＯＤＥＣ）を前記第２の状態に切り換える制御手段（ＣＮＴＲＬ）と、を具備したことを特徴とする前記電気通信システムに関する。
【００３５】
本発明によれば、移動無線通信網の交換装置は２つの状態を有するオーディオデータ符号化／復号化装置を備えている。第１の状態において、移動局から到来するかまたは移動局に送信されるデジタルオーディオデータは通常の圧縮／圧縮解除を受ける。第２の状態において、移動局に対するデジタルオーディオデータは任意の符号化／復号化を適用することなく交換装置を通る。
【００３６】
オーディオデータ符号化／復号化装置の第１または第２の状態が選択されるかは加入者局型式決定手段によって決定される。加入者局型式決定手段が第２の加入者局はインターネット・プロトコル網に接続中の電話ソフトウェアを稼動させるワークステーションであると決定する毎に、加入者局型式決定手段はデジタル末圧縮データをワークステーションに直接送信／伝送することができることを認識する。この決定に基づいて、制御手段は交換装置のオーディオデータ符号化／復号化装置をその第２の状態に切り換えて、第１及び第２の加入者局（移動局及びワークステーション）の間のデータは、任意の付加的で不要な音声符号化／復号化を適用することなく自由に伝達される。不要な音声圧縮／圧縮解除が回避されるので、音声品質は向上する。
【００３７】
電気通信網の構成に応じて、移動無線通信網の交換装置はワークステーションが圧縮／圧縮解除したオーディオデータを必要としない発呼者であるワークステーションからのメッセージを受信するか、または交換装置自身が被呼者である第２の加入者局はコンピュータ上の電話ソフトウェアを支援する局であるか否かを問い合わせることができる。移動無線通信網の交換装置、公衆交換電話網のゲートウェイ交換機またはインターネットＰＳＴＮ−ゲートウェイは、第１及び第２の加入者局の特定の詳細が記録されているそれぞれのメモリに接続している。従って、移動局またはワークステーションが呼を発信するかについては独立して、呼がセットアップされた後には不要な音声圧縮／圧縮解除はないことを常に保証することができる。
【００３８】
以下において、本発明をその各実施例及び添付した図面を参照して説明する。図面において、同一または類似の参照番号は全体を通して同一または類似の部分を示している。
【００３９】
（発明の原理）
図１は本発明の原理の大要、特に、オーディオデータ符号化／復号化装置ＣＯＤＥＣを有する基地局制御装置ＢＳＣ及び移動交換局／ビジタ（ｖｉｓｉｔｏｒ）位置レジスタＭＳＣ／ＶＬＲによって構成された発明力のある交換装置を示している。図７から図１１に示したネットワーク相互接続の何れも、図１にて「インターネット（ｉｎｔｅｒｎｅｔ）」及び「ＰＳＴＮ」で概略的に示すように、図１に応用することができることを了知すべきである。即ち、オーディオデータ符号化／復号化装置ＣＯＤＥＣを有する第１の加入者局ＭＳ／ＷＳは移動無線通信網ＰＬＭＮに接続している。この第１の加入者局は移動局ＭＳであり得る。
【００４０】
インターネット電話ソフトウェア／ハードウェアを稼動させるワークステーションであることが好ましい第２の加入者局ＷＳはＩＰ−網を介してイントラネット内に接続している。図７から図１１に図示するように、インターネット及び／又は公衆交換電話網は前記移動無線通信網ＰＬＭＮ及び前記イントラネット間に接続し得る。ＰＢＸ，ＩＧ等のような図７から図１１におけるような他のユニットもまた設けられている。
【００４１】
本発明によれば、基地局制御装置ＢＳＣのオーディオデータ符号化／復号化装置ＣＯＤＥＣは２つの動作状態を有している。第１の状態において、前記第１の加入者局から受信したデジタルオーディオデータは圧縮され、前記第２の加入者局から（即ち、前記移動交換局から）受信したデジタルオーディオデータは圧縮解除され、逆もまた同様である。第２の状態（通し状態）において、前記移動交換局ＭＳＣ／ＶＬＲからまたは前記第１の加入者局ＭＳ／ＷＳから受信した任意のデジタルオーディオデータは、任意の符号化／復号化（圧縮／圧縮解除）を適用することなく渡される。図１において判かるように、制御手段ＣＮＴＲＬはＣＯＤＥＣをその第１または第２の動作状態に切り換える。
【００４２】
加入者局型式決定手段ＳＳＴＤＭは移動交換局ＭＳＣ／ＶＬＲ内に設けられることが好ましい。ＳＳＴＤＭは前記第２の加入者局ＷＳがオーディオデータ符号化／復号化装置ＣＯＤＥＣを備えた型式のものであるか否かを決定する。即ち、第２の加入者局は従来型電話ハンド・セット、移動局またはインターネット電話ソフトウェア／ハードウェアを稼働させるワークステーションであって良い。
【００４３】
移動局ＭＳ／ＷＣが交換装置ＢＳＣ／ＭＳＣ／ＶＬＲに呼セットアップ・メッセージを送信して、第２の加入者局ＷＳに対する呼を設定するとき、決定手段ＳＳＴＤＭは第２の加入者局ＷＳがそれ自身のオーディオデータ符号化／復号化装置ＣＯＤＥＣを有するか否かを決定する。即ち、決定手段ＳＳＴＤＭは第２の加入者局ＷＳが移動局（または移動局に接続したワークステーション）から送信された（未圧縮状態の）デジタルデータを完全に理解できるか否かを調べる。決定手段ＳＳＴＤＭが第２の加入者局のどんな型式を呼び出すのかをどのようにして決定できるかについての幾つかの方法を以下において説明する。
【００４４】
最も重要なことには、第２の加入者局が移動局ＭＳによって生成されたデジタルデータを完全に処理できることを決定するとき、加入者局型式決定手段ＳＳＴＤＭは基地局制御装置ＢＳＣのＣＯＤＥＣをその第２の動作状態（その通し状態）に制御する。従って、ＢＳＣのＣＯＤＥＣにおいて従来式に実行される少なくとも圧縮／圧縮解除（符号化／復号化）は実行を妨げられ、音声品質は向上する。
【００４５】
第２の加入者局が呼セットアップ・メッセージをそのゲートウェイ・サーバに、また最終的に移動無線通信網ＰＬＭＮの移動交換局ＭＳＣ／ＶＬＲに送信すれば、同一の手順を実行できることに留意すべきである。即ち、この場合、（明らかに、移動局は常にこの種の手段を備えているので）決定手段ＳＳＴＤＭは被呼者である第１の加入者局が独立したオーディオデータ符号化／復号化装置を有する局であるとは決定せずに、この場合に、発呼者である第２の加入者局ＷＳがＩＰ−プロトコルを支援する、即ち、自身のオーディオデータ符号化／復号化装置ＣＯＤＥＣを有する局であると決定することとなる。このことをインターネット及び／又はＰＳＴＮを介したＰＬＭＮへの第２の加入者局の異なる相互接続においてどのように決定できるかについての各方法を以下において説明する。
【００４６】
従って、移動局ＭＳ（第１の加入者局）はデジタル式に符号化した音声（speech）（オーディオ（audio））データを既に生成することが可能であることを仮定すれば、被呼者または発呼者である第２の加入者局ＷＳはまたそれ自身の独立したオーディオデータ符号化／復号化装置ＣＯＤＥＣを有するか否かを決定することは決定手段ＳＳＴＤＭにとって必要であるに過ぎない。もしそうであれば、基地局の装置ＣＯＤＥＣにおいて更なる圧縮を実行する必要はなく、従って、決定手段ＳＳＴＤＭは基地局制御装置ＢＳＣに対してその第２の動作状態をとるように命令する。
【００４７】
図２はこの発明力のある方法の実施例、即ち、第１または第２の加入者局がＭＳＣまたはそれぞれのゲートウェイ・サーバに呼セットアップ・メッセージを送信する場合の呼セットアップを示している。
【００４８】
ステップＳ１において、加入者局は、例えばデジタル移動無線通信網において、セットアップ・メッセージを送信する。このセットアップ・メッセージはＩＰ−網に接続したコンピュータにおいて使用するように保有し得る加入者局番号を含んでいる。従って、ステップＳ２において、決定手段ＳＳＴＤＭはどのＩＰ−アドレスに対して呼を接続すべきか、及びどのユーザ名に対してかということを問い合わせる。ステップＳ２は第２の加入者局が呼を発信する場合に等しく適切に当てはまる。
【００４９】
ステップＳ３において、移動交換局ＭＳＣ（交換装置）は、第２の加入者局、例えばＩＰ−プロトコルによって伝送されるＩＴＵ  Ｈ．２４制御信号を使用してワークステーション・コンピュータＷＳでランするインターネット電話サーバ・プログラムに対してＩＰ−網を介して、好ましくは直接アクセス機構ＤＡＵを使用して接続をセットアップし、受信ユニットの能力（例えば、ＧＳＭ音声符号化が支援されているか否か）を調べ、例えばエンドユーザ・プログラムを通知することによってＩＰ−網のサーバ・プログラムはエンドユーザに達し得るか否かを質問し、かつ呼に対する回答を待つ。即ち、呼がセットアップ中である前、ステップＳ３において、決定手段ＳＳＴＤＭはＩＴＵ  Ｈ．２４５制御信号を使用して、被呼者（発呼者）である第２の加入者局ＷＳがオーディオデータ圧縮／圧縮解除を支援する局であるか否かを立証する。
【００５０】
次いで、第１及び第２の加入者局の間の呼がステップＳ３においてセットアップされる。呼セットアップがステップＳ３でうまく行ったならば、移動交換局ＭＳＣは基地局制御ＢＳＣに命令して、移動局ＭＳから到来する音声（speech）を復号化（圧縮）させないようにするが、入力データを直接移動交換局ＭＳＣを通して経路選択し、この移動交換局ＭＳＣはデータをＩＰ網を介して第２の加入者局、即ち、ワークステーション・コンピュータＷＳにてランする電話プログラムに転送する。第２の加入者局ＷＳはオーディオデータ圧縮／圧縮解除を支援することがステップＳ２、Ｓ４において決定されていれば、基地局制御装置復号器／デジタル符号器は従ってステップＳ５においてスイッチがオフにされる。ステップＳ６において、オーディオデータはＧＳＭ音声符号化を付けて拡張されたＩＴＵ  Ｈ．３２３規格を使用して交換される。第２の加入者局は音声復号化を支援できる加入者局ではないということがステップＳ２において決定されたならば、基地局制御装置ＢＳＣのＣＯＤＥＣは、音声符号化／復号化（圧縮／圧縮解除）が呼出しの際に連続的に実行されるその第１の状態のままにされる。
【００５１】
しかしながら、第２の加入者局ＷＳは音声復号化（圧縮解除）を適切に実行可能であることが決定されたならば、第２のワークステーションのプログラムは受信したデータからの音声復号化を行い、ワークステーション・コンピュータＷＳに接続したラウドスピーカまたはヘッドフォンを通して音声を出力する。他方の方向において、電話ソフトウェア／ハードウェアを稼働させるコンピュータはマイクロフォンを通して受信した音声（speech）（オーディオ（audio））のアナログ／デジタル変換を実行し、呼に対してセグメンテーション及び音声符号化を行う。この場合、情報がＩＰ−網を通して移動交換局ＭＳＣに転送され、ＭＳＣはこの情報を（ＣＯＤＥＣがその第２の動作状態に切り換えられている）基地局制御装置に直接経路選択する。この基地局制御装置はデジタル／デジタル変換または音声符号化は実行しないが、データがエアー・インターフェース（air interface）を通して第１の移動加入者局にそのまま転送されることには注意する。従って、図２は第１または第２の加入者局が呼セットアップ・メッセージを介して呼を開始する場合に同様に適切に当てはまる。
【００５２】
従って、移動局からＩＰ−網のワークステーションへの方向において、移動局はアナログ音声（speech）（音声（audio））のアナログ／デジタル変換を実行し、このデジタル式に符号化したデータは、受信したデータをアナログ音声に変えるデジタル復号化を実行することができる電話ソフトウェアを稼働させるワークステーション・コンピュータＷＳまで即意的に経路選択される。同様に、ワークステーション・コンピュータＷＳから移動局ＭＳへの方向において、ワークステーションＷＳはデジタル符号化を実行することとなり、デジタル式に符号化したデータは、基地局制御装置ＢＳＣにおいて更なる符号化／復号化を適用することなく、移動交換局を介して移動局ＭＳに経路選択される。
【００５３】
即ち、呼セットアップ・メッセージがインターネット電話コンピュータＷＳからデジタル移動電話ＭＳに送信されるとき、ワークステーション・コンピュータＭＳのプログラムは、例えばＰＳＴＮに対するゲートウェイとして機能するそのＩＰ−網のゲートウェイ・サーバに接続する。例えば、ゲートウェイに接続したＰＳＴＮの交換機は、呼は移動加入者に対するものであり、オーディオデータ音声符号化（ＧＳＭ音声符号化）が可能なＩＰ−網ユニットから到来することに気が付くとき、第１の加入者局がそのときに接続している移動交換局が、ＰＳＴＮの交換機がこの移動交換局ＭＳＣにおけるサーバ部のＩＰ−アドレスをゲートウェイ交換機に戻す場合にＩＰ−網から呼を受け付けることができれば、ＰＳＴＮの交換機はＧＳＭによる所謂「拡張シグナリング・システム７」を使用して移動無線通信網のゲートウェイＭＳＣに質問する。ゲートウェイ交換機は順次第２の加入者局（ワークステーションのコンピュータ）のインターネット電話プログラムに対して、前述したＩＴＵ  Ｈ．３２３プロトコルを使用してこのＩＰ−アドレスへの接続を直接構築するように通知する。この呼セットアップの際、移動交換局ＭＳＣは使用中の加入者を示し、ＩＰ−インターフェースから入力される呼が転送される加入者を同定するのに使用するローミング番号（roaming number）を戻す。以下において判かるように、ＭＳＣのサーバ部は直接アクセス機構ＤＡＵによって構成される。再度、移動交換局ＭＳＣがオーディオデータ音声符号化（audio data speech coding）（例えば、ＧＳＭ音声符号化）が可能なＩＰ−網ユニット（ワークステーション）から呼が入力中であることを一旦認識したならば、移動交換局ＭＳＣは基地局制御装置ＢＳＣのオーディオデータ符号化／復号化装置ＣＯＤＥＣをその第２の状態に制御することとなる。
【００５４】
任意の既知の技術をワークステーションＷＳにおいて使用して、ハードウェア及びソフトウェアを用いてまたはソフトウェアのみを用いて音声符号化及び復号化を行うことができる。移動局はＢＳＣに対してＴＤＭＡ−伝送のためのアナログ／デジタル変換を既に実行しているということを考えれば、ＢＳＣにおける「オーディオデータ符号化／復号化（audio data encoding／decoding）」について意味するものは実際、データがＭＳＣに経路選択される前の音声符号化／復号化（speech encoding／decoding）及び／又は音声圧縮／圧縮解除（speech compression／decompression）である。この種の音声符号化／復号化の例はＥＴＳＩ規格書類において見い出すことができる。この点については、例えばＧＳＭ０６．１０（ｐｒＥＴＳ  ３００  ５８０−２）、即ち、「欧州デジタル・セルラー電気通信システム（段階２）；規格である全レート音声符号化トランスコーディング（full rate transcoding）」を参照されたい。音声符号化／復号化を説明しているジュッタ・デジェナー（Jutta Degener）著「デジタル音声圧縮（Digital Speech Compression）」、ドクタードッブス・ジャーナル（Dr.Dobbs Journal）、１９９４年１２月の文献もある。同様に、インターネット電話プログラムは音声符号化／復号化及びデジタルからアナログ音声への直接的変換を実行できることは、「規格書類ＩＴＵ（国際電気通信ユニオン（international Tele communication Union）勧告Ｇ．７１１（μ−法則及びＡ−法則圧縮）及びＧ．７２３」にて説明されている。
【００５５】
例として、オーディオデータ符号化／復号化装置ＣＯＤＥＣがＢＳＣに位置していると仮定した。しかしながら、ＣＯＤＥＣは移動無線通信網ＰＬＭＮのどこか他に位置し得る。第２の状態はデータがＢＳＣにてＣＯＤＥＣを通過する状態であると説明しているが、制御手段はＢＳＣに到達するデータが完全にわきに向けられてＢＳＣを全く通らないという機能を実行することもできることに留意することができる。例えば、ＧＳＭ網において、ＣＯＤＥＣを基地局または基地局制御装置（ＢＳＣ）の何れかに配置することができる。本発明の重要な態様はＢＳＣはＣＯＤＥＣが位置している場所とは無関係にＣＯＤＥＣを制御してそのスイッチをオンまたはオフにすることができるということである。
【００５６】
以上説明したように、本発明は音声（オーディオデータ）がデータとして転送される状況に関する。しかしながら、図９のデータ呼を参照して説明したように、音声呼及びデータ呼の間でＧＳＭ網において明確な区別を行うべきである。純粋なデータ呼は音声呼（speech call）の帯域幅を有すことはない。一方、データ呼中の全てのデータは如何なる音声復号化／符号化をも適用することはなくＧＳＭ網において転送される。何故ならば、このことは全てのＧＳＭ音声デジタル符号器は損失がある（これらは復号化／符号化に起因して情報を解放する）ためにデータ呼中のデータ損失に帰着するからである。従って、各本実施例においては、オーディオデータはデータ呼として転送されないが、従来、より幅の広い帯域幅を使用して、符号化／復号化が本発明によって実行を妨げられる交換装置か何かにおいて適用される音声呼として転送されることが意図されることを了知すべきである。
【００５７】
図１、２は一般に本発明の原理について説明しているが、以下において、方法、交換手段及び電気通信システムの特定の各実施例を図３から図６を参照して説明する。呼のセットアップに関係すると、ネットワーク構成及び呼セットアップに関して、これらの実施例は前述した図７から図１１のアナログケースに関連して思量し得る。
【００５８】
移動局からＩＰ−網に接続したワークステーションへの呼
図３はＩＰ−網（ＩＮＴＲＡＮＥＴ）の一部分であるワークステーションＷＳが（ゲートウェイ・サーバを介して）インターネットに接続している図９に対応する発明力のある電気通信システムの実施例を示している。インターネットは直接アクセス機構ＤＡＵを介して移動無線電信網ＰＬＭＮの移動交換局と通信する。第１のメモリ装置ＤＢは移動交換局ＭＳＣに接続している。交換装置ＢＳＣ／ＭＳＣは図１におけるように構成されている。第１のメモリ装置ＤＢは第２の加入者局の各番号とそれらのＩＰ−アドレスと同様にそれらのユーザ名との間の関係を示す多数の項目を含んでいる。例えば、ＭＳＣは第１のメモリ装置ＤＢにアクセスできると共に、「通常の（normal）」電話番号１２３４５６７を有する第２の加入者局が実際、関連するＩＰ−アドレス（ＩＰ−電話番号）１２７．０．０．１及び関連するユーザ名ｂｓｕｂを有していることを検出できる。このことから、移動交換局ＭＳＣは電話番号１２３４５６７を有するワークステーションが実際、自身のオーディオデータ符号化／復号化装置を備えた型式の加入者局であることを決定することができる。ＭＳＣはこのことからＢＳＣにおいてオーディオデータ符号化／復号化を実行する必要のないことを推断し、従ってＢＳＣにおけるＣＯＤＥＣを制御ＣＮＴＲＬして、何らの音声符号化／復号化も実行されないその第２の状態にすることができる。
【００５９】
即ち、第１の加入者局ＭＳが呼セットアップ・メッセージをＭＳＣに送信すれば、ＭＳＣは第１のメモリ装置ＤＢの各項目を参照して被呼者電話番号を解析する。こうして、ＭＳＣが被呼者電話番号は（インターネット等の）データ網において接続した第２の加入者局に対してのものであると認めるとき、ＭＳＣはその呼出し電話番号に対応するＩＰ−アドレスまたは十分に分類された領域名を第１のメモリ装置から読み出す。この後、ＭＳＣは第２の加入者局ＷＳがオーディオデータ（音声）符号化／復号化（ＧＳＭ音声符号化／復号化）を支援しているか否かを第２の加入者局ＷＳに問い合わせる。第２の加入者局がこの種の音声符号化／復号化を支援していれば、ＭＳＣはＢＳＣに命令して、呼の持続時間の間ＧＳＭ音声符号化／復号化をオフに切り換えさせる。第２の加入者局のプログラムがＧＳＭ音声符号化を支援していなければ、別のプロトコルが取り決められ使用され、この場合、ＭＳＣはデジタル音声を使用したプロトコルに変換を行い、またあべこべに逆方向に変換を行う。原理的には、データベースからＩＰ−アドレスを読み出して、Ｂ−加入者設備（即ち、第２の加入者局）がＧＳＭ音声復号化／符号化装置を支援するか否かを決定するようになすことは十分であろう。一方、ユーザはＷＳにて或る理由から（例えば、ソフトウェア更新、障害等の際に）ＧＳＭ音声ＣＯＤＥＣに対する支援をできないようにし得て、また好ましくは、ＰＬＭＮ内のＣＯＤＥＣのスイッチがオフにされる前にＣＯＤＥＣが実際に動作可能であることを保証すべきである。
【００６０】
双方の方向において、呼はインターネットを介して移動交換局からデータ網に直接経路選択される。プロトコルを取り決めるために、制御信号は例えばＩＰ−網を通してＨ．２４５を使用して交換され、一方、オーディオデータは拡張Ｈ．３２３を使用して交換される。
【００６１】
ここでは、移動局ＭＳまたはこの移動局ＭＳに接続したワークステーションが呼を発信するかということは重要ではないことが図３においてまた了知される。双方の場合、このことは前述したように第１のメモリ装置ＤＢを参照することによってＭＳＣの加入者局型式決定手段ＳＳＴＤＭによって幾分決定されるが、第２の加入者局ＷＳがＧＳＭ音声符号化／復号化を支援するならば、ＢＳＣのＣＯＤＥＣはスイッチがオフにされる。
【００６２】
図４ａは呼がインターネットを介してかまたは従来型ＰＳＴＮを介してかの何れかによって経路選択することができる発明力のある電気通信システムの実施例を示している。呼セットアップ段階の際に移動局ＭＳが呼セットアップ・メッセージを送信するとき、第２の加入者局がオーディオデータ符号化／復号化装置を支援しているか否かを問い合わせるために、交換装置は公衆交換電話網ＰＳＴＮのゲートウェイ交換機Ｇ−ＥＸ（Ｂ−加入者の被呼者電話番号が属する交換機）に問合せメッセージを送信する。この装置が支援されていなければ、呼は図７におけるように継続する。装置が支援されていれば、ＭＳＣはＢＳＣに命令して、呼の持続時間の際にＢＳＣのオーディオデータ符号化／復号化装置をオフに切り換えるようにする。次いで、呼は何らのオーディオデータ符号化／復号化もＢＳＣにおいて適用されないという差異を以って図７におけるようにＰＳＴＮを介して経路選択される。
【００６３】
インターネットを介して呼を経路選択することも可能である図４ａの構成において、呼はＩＰ−網を介して経路選択すべきか否かを見い出すために、第１の加入者局から呼セットアップ・メッセージを受信した後にＭＳＣは問合せメッセージをゲートウェイ交換機Ｇ−ＥＸに送信することもできる。回答が肯定的であれば、ＩＰ−アドレスはＭＳＣに戻され、ＭＳＣはインターネットを介してそのアドレスを使用してＩＰ−網に呼を経路選択する。
【００６４】
図４ａにおいて、交換機は第１の加入者局ＭＳによって呼び出された電話番号がオーディオデータ符号化／復号化装置を有する型式の第２の加入者局に属しているか否かの情報を含んだＰＳＴＮのゲートウェイ交換機Ｇ−ＥＸである。
【００６５】
図４ｂは呼がＰＳＴＮを介して経路選択されるときの図４ａにおける状況に対する帯域幅使用を示している。図４ａは図７ａによる従来の状況とは対照的に本発明を使用したデータ転送速度の例を示している。図４ｂにおいて判かるように、各データ転送速度は▲１▼、▲２▼においては同一である。▲３▼において、ＣＯＤＥＣがオフに切り換えられ、その結果、使用する帯域幅は１３ｋｂｉｔ／ｓである。▲４▼において、ゲートウェイは正にデータをワークステーションＷＳに渡す。ワークステーションは１３ｋｂｉｔ／ｓを圧縮解除すると共に、▲５▼においてＤ／Ａを実行して、音を出力する。既に述べたように、この帯域幅の使用は移動局ＭＳにおいて使用する特定の符号化に限定されるものではない。如何なる制限もなく、ハードウェア・デジタル符号器を用いて６．５ｋｂｉｔ／ｓに圧縮することができるが、ただこの場合、音声品質は僅かに低くなる。
【００６６】
ＩＰ−網に接続したワークステーションＷＳから移動局ＭＳへの呼
図５は図１０の状況に対応する発明力のある電気通信システムの実施例を示している。この場合、そのサーバのＩＰ−アドレスを使用すると共に、移動局の電話番号及びワークステーションは対応する装置を介してオーディオデータ符号化／復号化を実行できるという情報を与えて、第２の加入者局ＷＳは呼セットアップ・メッセージをゲートウェイ・サーバＩＧに送信する。
【００６７】
ゲートウェイ・サーバＩＧは（第２のメモリ装置ＤＢを参照することによって）、ＢＳＣの切換え可能なオーディオデータ符号化／復号化装置を支援すると共に、直接アクセス機構ＤＡＵを有する移動交換局ＭＳＣに被呼者の電話番号が属していることを認識する。ゲートウェイ・サーバＩＧが移動無線通信網ＰＬＭＮの基地局制御装置ＢＳＣは２つの動作状態の間で切換え可能であるオーディオデータ符号化／復号化装置を有することを第２のメモリ装置ＤＢから認識するとき、このゲートウェイ・サーバＧＳはＭＳＣの直接アクセス機構ＤＡＵに属するＩＰ−アドレスに対して呼を直接セットアップすることとなる。
【００６８】
従って、ＭＳＣが呼はその直接アクセス機構ＤＡＵに到着していることを検出するとき、ＭＳＣはオーディオデータ符号化／復号化を実行することができる第２の加入者局ＷＳから呼が発信されたということを常に考えることができる。従って、この種の場合、ＭＳＣは、特定の一致した方法で（例えば、予め規定した部分または特殊なＩＰ−アドレスを介してまたは特定のプロトコルを使用して）直接アクセス機構ＤＡＵのこのＩＰ−アドレスに到来している全ての呼に対してそのオーディオデータ符号化／復号化をオフに切り換えるように常にＢＳＣに命令することができる。
【００６９】
図５における構成に対して、どのようにして全体の呼のセットアップを実行するかという明瞭な説明を以下において行うこととする。第１及び第２の加入者局間のデータ通信の個々のステップは、図５において参照番号ＳＴ１…ＳＴ１０を用いて示してある。以下の例で使用する各電話番号及びＩＰ−アドレスは単なる諸例に過ぎず、本発明を制限するものではない。
【００７０】
ステップＳＴ１
第２の加入者（インターネット電話を稼働させるコンピュータ）ＷＳはインターネットＰＳＴＮゲートウェイＩＧに接続し、移動局ＭＳの電話番号１２３４５６７に対して呼出しを行う要求を呼セットアップ・メッセージ中に含んでいる。
【００７１】
ステップＳＴ２
インターネット−ＰＳＴＮゲートウェイはＰＳＴＮゲートウェイ交換機Ｇ−ＥＸに対する接続を形成し、ＧＳＭ音声符号化能力を有するインターネット電話が電話番号１２３４５６７を有する移動局を呼び出したいとしていることを交換機Ｇ−ＥＸに通知する。
【００７２】
ステップＳＴ３
交換機Ｇ−ＥＸは呼セットアップ要求が移動局ＭＳに対して行われていることと、この要求がＩＰ−網から到来していることとを要求された電話番号１２３４５６７から認識する。ＰＬＭＮ内には幾つかの移動交換局ＭＳＣがあるので、交換機Ｇ−ＥＸは移動局が現在位置している移動交換局ＭＳＣがＩＰ−インターフェース（即ち、直接アクセス機構ＤＡＵ）を支援するか否かをゲートウェイＭＳＣ  ＧＭＳＣから問い合わせると共に、直接アクセス機構ＤＡＵのＩＰ−アドレスを求める。ゲートウェイＭＳＣ  ＧＭＳＣが現在移動局ＭＳにサービスしているＭＳＣはＩＰ−インターフェースを有せず、こうしてＩＰ−アドレスも有しない交換機Ｇ−ＥＸに情報を戻すのであれば、ここで呼はインターネット電話ＷＳからＰＳＴＮまた移動局ＭＳに現在サービスしているＭＳへと通常の呼としてセットアップ中である。
【００７３】
ステップＳＴ４
ゲートウェイＭＳＣ  ＧＭＳＣは移動交換局ＭＳＣに問い合わせて、移動局ＭＳに対してローミング番号をもたらす他、ＭＳＣのＩＰ−アドレスをもたらす。
【００７４】
ステップＳＴ５
移動交換局ＭＳＣはローミング番号「０１７３４」確保し、ＩＰ−接続を待つ。
【００７５】
ステップＳＴ６
ＧＭＳＣはＰＳＴＮ交換機Ｇ−ＥＸに対してデータ、即ち、ＩＰ−アドレス「１２７．０．０．０」に関するデータを戻す。
【００７６】
ステップＳＴ７
ＰＳＴＮ交換機Ｇ−ＥＸはデータをインターネット−ＰＳＴＮゲートウェイＩＧに戻す。
【００７７】
ステップＳＴ８
インターネット−ＰＳＴＮゲートウェイＩＧはＩＰ−アドレスを第２の加入者局ＷＳに戻す。
【００７８】
ステップＳＴ９
ワークステーションＷＳは移動交換局のＩＰ−アドレスに対して接続を行い、制御シグナリング用のＨ．２４５プロトコルを使用して移動局「０１７３４」に対して呼をセットアップし、Ｈ．３２３に関するＧＳＭ音声符号化を使用してオーディオデータを転送する。
【００７９】
ステップＳＴ１０
移動交換局ＭＳＣは直接アクセス機構ＤＡＵを介して呼を受信し、及び直接アクセス機構ＤＡＵで保留中の呼を実現させたとき、基地局制御装置ＢＳＣにおけるオーディオデータ符号化／復号化を直ちにオフに切り換える。次いで、ローミング番号「０１７３４」を有する移動局ＭＳに対して呼がセットアップされる。
【００８０】
従って、図５において、ＧＭＳＣは勿論のことゲートウェイ交換機Ｇ−ＥＸは呼のセットアップの前に、データがインターネットを介して移動交換局のＩＰ−アドレスに直接経路選択できるか否かを取り決める。移動交換局ＭＳＣがその直接アクセス機構ＤＡＵにおいて保留中の任意の呼を実現させれば、ＭＳＣはこれ以上のオーディオデータ符号化／復号化は基地局制御装置ＢＳＣにおいては必要ないと考えることができ、従ってその符号化／復号化装置のスイッチをオフにする。
【００８１】
インターネット及びＰＳＴＮを介してＩＰ−網に接続したワークステーションＷＳから移動局ＭＳへの呼
図６はインターネットと同様にＰＳＴＮが移動無線通信網ＰＬＭＮの第２の加入者局ＷＳから第１の加入者局ＭＳへの呼をセットアップするのに使用される構成を示している。この構成は図１１と類似していることを了知し得る。
【００８２】
ワークステーションＷＳはゲートウェイ・サーバＩＧのＩＰ−アドレスまたは完全に分類された領域名を使用してこのゲートウェイ・サーバＩＧにコンタクトする。呼セットアップ・メッセージにおいて、ワークステーションＷＳは移動局ＭＳの所望の被呼者電話番号と同様に、第２の加入者局ＷＳがオーディオデータ符号化／復号化装置ＣＯＤＥＣを備えていること、即ち、ＧＳＭ音声復号化／符号化に必要な資格があることを示すパラメータ（情報）を含んでいる。次いで、ゲートウェイ・サーバＩＧは移動局のこの被呼者電話番号を使用して通常の呼出し（ＰＳＴＮ−ＭＳ）を行う。ゲートウェイ・サーバＩＧは更に、第２の加入者局ＷＳがＧＳＭ音声復号化／符号化が可能であるということについての情報をＰＳＴＮ交換機にまたこうして移動局ＭＳが現在位置しているＰＬＭＮの移動交換局ＭＳＣに対して送信する。
【００８３】
第２の加入者局ＷＳはＧＳＭ音声復号化／符号化を実行することが可能であるという情報に基づいて、ＭＳＣは呼の持続時間の間その音声復号化／符号化をオフに切り換えるようにＢＳＣに命令する。呼出しの際、ゲートウェイ・サーバＩＧは通し状態に切り換えられる。即ち、ゲートウェイ・サーバＩＧはワークステーションに対してデータ（デジタル化した符号化音声）を通すに過ぎない。
【００８４】
従って、図６の場合、インターネット、ゲートウェイ・サーバＩＧ及び公衆交換電話網ＰＳＴＮを介して、ＭＳＣは第２の加入者局ＷＳが自身のデータ符号化／復号化装置を有する型式のものであるということに関する情報を受信する。
【００８５】
図１から図６における各実施例の説明から判かるように、移動交換局ＭＳＣは第１の加入者局ＭＳ（即ち、移動局）が自身のオーディオデータ符号化／復号化装置を備えていることを常に安全に考える。しかしながら、ＩＰ−網のワークステーションがＭＳによって呼び出されているか否かまたはワークステーション自身が呼を出しているか否かとは無関係に、ＭＳＣ内の加入者局型式決定手段は第２の加入者局が独立したＧＳＭ音声符号化／復号化装置を支援する局であるか否かということに関する情報を受信する。ＭＳＣはメモリ装置から、ＰＳＴＮからまたは単に呼がその直接アクセス機構ＤＡＵにおいて保留中であるということによってのみこの種の情報を直接受信することができる。全ての場合、ＭＳＣはＢＳＣにおける音声符号化／復号化をオフに切り換える。ネットワーク構成に単に応じて、呼はインターネットまたは従来型のＰＳＴＮを通して経路選択され、一方、ＢＳＣにおける音声符号化／復号化はオフに切り換えられたまま（即ち、その第２の動作状態）になっている。
【００８６】
（産業上の利用可能性）
上述したように、発明力のある方法、交換装置及び電気通信システムは、インターネット電話ソフトウェア／ハードウェアを稼働させることが可能な多数のワークステーションが接続している（例えば、ＩＰ−網等の）データ網と移動無線通信システムが対話する全てのネットワーク構成に適用可能である。相互接続及び呼セットアップ並びにデータ通信は、ネットワークのおのおのに対する第１及び第２の加入者局の申込みに応じてＰＳＴＮまたはインターネットを介して実行することができる。以上、音声符号化／復号化をドイツ国において存在するＤ１、Ｄ２またはイー−プラス（e-plus）移動無線通信網におけるようなＧＳＭ音声符号化／復号化を参照して説明したが、前記教示は、移動無線通信網がＰＳＴＮまたはインターネットを介して電話ソフトウェアを稼働させる各コンピュータと対話する全ての状況に一般に適用可能である。従って、ＧＳＭはここでは一例に過ぎない。
【００８７】
本願で開示した教示に基づいて、当業者によって種々の修正及び変更を行うことができることと、従って本発明は本願で開示した如何なる特定の実施例または例に限定されるものではないことは明らかである。従って、全てのこの種の変更及び修正は特許請求の範囲で定義される保護の範囲内にあるものである。
【００８８】
各請求項における参照番号は単に例示的目的に役立つに過ぎず、これらの請求項の保護の範囲を制限するものではない。
【図面の簡単な説明】
【図１】  本発明による移動無線通信網の交換装置ＢＳＣ／ＭＳＣ／ＶＬＲを示す図である。
【図２】  図１における交換装置の動作を示すフローチャートである。
【図３】  移動局ＭＳがインターネットを通してワークステーションを呼び出す場合の本発明の実施例を示す図である。
【図４ａ】  移動局ＭＳがインターネットまたは公衆交換電話網ＰＳＴＮを介してワークステーションを呼び出す場合の本発明の実施例を示す図である。
【図４ｂ】  図４ａのＰＳＴＮを介して呼が経路選択される状況に対する各データ転送速度を示す図である。
【図５】  ワークステーションＷＳがインターネットを介して及び／又はＰＳＴＮを介して移動局ＭＳを呼び出す場合の本発明の実施例を示す図である。
【図６】  ワークステーションＷＳがインターネット及びＰＳＴＮを介して移動局を呼び出すときの本発明の実施例を示す図である。
【図７ａ】  移動局ＭＳがＰＳＴＮを介してワークステーションを呼び出すときの音声圧縮／圧縮解除の例を示す図である。
【図７ｂ】  図７ａの状況に対する各データ転送速度を示す図である。
【図８】  移動局ＭＳがＰＳＴＮ及びインターネットを介してワークステーションを呼び出す例を示す図である。
【図９】  移動局ＭＳがデータ呼として直接インターネットを介してワークステーションＷＳを呼び出す例を示す図である。
【図１０】  移動局ＭＳに接続したワークステーション（コンピュータ）ＷＳがインターネット及びＧＰＲＳ−システムを介してワークステーションＷＳによって呼び出される例を示す図である。
【図１１】ワークステーションＷＳがイントラネット及びＰＳＴＮを介して移動局ＭＳを呼び出す例を示す図である。
【図１】
0004049997.tif 000002
【図２】
0004049997.tif 000003
【図３】
0004049997.tif 000004
【図４ａ】
0004049997.tif 000005
【図４ｂ】
0004049997.tif 000006
【図５】
0004049997.tif 000007
【図６】
0004049997.tif 000008
【図７ａ】
0004049997.tif 000009
【図７ｂ】
0004049997.tif 000010
【図８】
0004049997.tif 000011
【図９】
0004049997.tif 000012
【図１０】
0004049997.tif 000013
【図１１】
0004049997.tif 000014